(57)【要約】    【課題】      走行中のエンジン再始動時のクランキング制御における消費電力を低減するようにして、制御システムのダウンを防止すること。    【解決手段】  ハイブリッド車両は、電動モードで走行中にバッテリの充電量が所定値を下回って、バッテリ充電のためにエンジン１を再始動する際に、スロットル弁アクチュエータ駆動回路１１によりスロットル弁を全閉状態にし、デューティ設定部２３により発電電動機２に供給する発電電動機電流を最大発電電動機電流に設定し、このクランクキング開始直後に、クランキング開始時の最大発電電動機電流より低下させるように制御し、クランク軸の回転数がエンジン１を点火する所定の目標回転数に上昇するまで、その発電電動機電流量を所定の勾配で徐々に上げていくように制御する。クランク軸の回転数がエンジン１を点火する所定の目標回転数に上昇した時、スロットル弁の開度を全閉状態から点火開度に開く。  【選択図】      図１
2007074765.tif 000002
【特許請求の範囲】
【請求項１】
エンジンによって発電電動機を駆動し、この発電電動機により充電池に充電し、この充電池により車両駆動用電力、システム制御用電力及びエンジン始動用電力を供給するハイブリッド車両において、
前記エンジンのクランク軸を回転させる始動手段と、
走行中の前記エンジンの始動時に前記始動手段に供給する電力を上限値に基づいて規制する制御手段と、
を備えることを特徴とするハイブリッド車両。
【請求項２】
前記制御手段は、前記始動手段に供給する電流をパルス信号のパルス幅により制御することを特徴とする請求項１記載のハイブリッド車両。
【請求項３】
前記制御手段は、前記クランク軸の回転数を所定の目標回転数まで上昇させる電力を前記始動手段に供給する際に、該電力を所定の勾配で上昇させるように前記パルス信号のパルス幅を制御することを特徴とする請求項２記載のハイブリッド車両。
【請求項４】
エンジンによって発電電動機を駆動し、この発電電動機により充電池に充電し、この充電池により車両駆動用電力、システム制御用電力及びエンジン始動用電力を供給するハイブリッド車両において、
走行中に前記エンジン再始動時に該エンジンのクランク軸を回転させる始動手段と、
前記エンジンのシリンダに導入される空気量を調整する吸気量調整手段と、
前記エンジン再始動時に、前記吸気量調整手段の開度をエンジン点火に必要な開度より小とする制御手段と、
を備えることを特徴とするハイブリッド車両。
【請求項５】
前記クランク軸の回転数を検出する検出手段を更に備え、
前記制御手段は、前記検出手段により検出されるクランク軸の回転数が目標回転数に上昇すると、前記吸気量調整手段の開度を前記エンジンを点火させる開度に制御することを特徴とする請求項４記載のハイブリッド車両。
【請求項６】
前記始動手段として前記発電電動機を用いることを特徴とする請求項１又は４記載のハイブリッド車両。
【請求項７】
前記充電池は、ニッケル系、リチウム系等の二次電池を用いることを特徴とする請求項１又は４記載のハイブリッド車両。
【発明の詳細な説明】
【技術分野】
【０００１】
本発明は、ハイブリッド車両に関し、特に、エンジンによって発電電動機を駆動し、この発電電動機の駆動力により走行するハイブリッド車両に関する。
【背景技術】
【０００２】
従来、交流電動機とエンジンを直結したハイブリッド車において、交流電動機をエンジンの始動に使用する始動装置が特許文献１に提案されている。この始動装置では、エンジン始動時における負荷を小さくするために、停止後始動前に交流電動機でエンジンを逆方向に回転させ、その後エンジンを回転方向に回転させるようにしている。
【０００３】
この始動装置では、停止後始動前に交流電動機でエンジンを逆方向に回転させるため、クランクが助走でき、交流電動機に対する負荷が小さくなる分、発電容量の小さい交流電動機を使用でき、エンジン始動初期の消費電力を低減できる。
【特許文献１】特開平８−３５４７０号公報
【発明の開示】
【発明が解決しようとする課題】
【０００４】
しかしながら、上記従来のハイブリッド車では、エンジンの始動に必要なトルクを交流電動機が直接発生する必要があり、エンジンの回転数が高回転になったときに交流電動機の消費電力が一番多くなる。また、このハイブリッド車では、走行中にバッテリ出力の低下によりエンジンを再始動することもある。この場合、更にバッテリの出力電力を急激に消費し出力電圧レベルが急激に低下するため、バッテリから電力が供給されている制御システム自体がシステムダウンを起こすという問題がある。
【０００５】
そこで、本発明は係る問題を解決するため、走行中のエンジン再始動時のクランキング制御における消費電力を低減するようにして、制御システムのダウンを防止するハイブリッド車両を提供することを目的とする。
【課題を解決するための手段】
【０００６】
本発明のハイブリッド車両は、エンジンによって発電電動機を駆動し、この発電電動機により充電池に充電し、この充電池により車両駆動用電力、システム制御用電力及びエンジン始動用電力を供給するハイブリッド車両において、前記エンジンのクランク軸を回転させる始動手段と、走行中の前記エンジンの始動時に前記始動手段に供給する電力を上限値に基づいて規制する制御手段と、を備える構成を採る。
【０００７】
この構成によれば、エンジン再始動時にクランク軸が回転を開始した後の消費電力を低減することができ、システムダウンを防止することができる。
【０００８】
本発明のハイブリッド車両は、請求項１記載のハイブリッド車両において、前記制御手段は、前記始動手段に供給する電流をパルス信号のパルス幅により制御する構成を採る。
【０００９】
この構成によれば、エンジン再始動時のクランク軸の回転制御を容易に制御することができる。
【００１０】
本発明のハイブリッド車両は、請求項２記載のハイブリッド車両において、前記制御手段は、前記クランク軸の回転数を所定の目標回転数まで上昇させる電力を前記始動手段に供給する際に、該電力を所定の勾配で上昇させるように前記パルス信号のパルス幅を制御する構成を採る。
【００１１】
この構成によれば、エンジン再始動時にクランキングを開始させる際の電力量を精度良く制御することができる。
【００１２】
本発明のハイブリッド車両は、エンジンによって発電電動機を駆動し、この発電電動機により充電池に充電し、この充電池により車両駆動用電力、システム制御用電力及びエンジン始動用電力を供給するハイブリッド車両において、走行中に前記エンジン再始動時に該エンジンのクランク軸を回転させる始動手段と、前記エンジンのシリンダに導入される空気量を調整する吸気量調整手段と、前記エンジン再始動時に、前記吸気量調整手段の開度をエンジン点火に必要な開度より小とする制御手段と、を備える構成を採る。
【００１３】
この構成によれば、エンジン再始動時にシリンダ内に供給される空気量を少なくし、圧縮時の負荷を小さくすることができ、少ない電力でクランキングを開始することができ、システムダウンを防止することができる。
【００１４】
本発明のハイブリッド車両は、請求項４記載のハイブリッド車両において、前記クランク軸の回転数を検出する検出手段を更に備え、前記制御手段は、前記検出手段により検出されるクランク軸の回転数が目標回転数に上昇すると、前記吸気量調整手段の開度を前記エンジンを点火させる開度に制御する構成を採る。
【００１５】
この構成によれば、エンジン再始動時に必要な空気量を適切なタイミングでシリンダ内に導入されるように制御することができる。
【００１６】
本発明のハイブリッド車両は、請求項１又は４記載のハイブリッド車両において、前記始動手段として前記発電電動機を用いる構成をとる。
【００１７】
この構成によれば、エンジン再始動時のクランキング制御を容易にすることができる。
【００１８】
本発明のハイブリッド車両は、請求項１又は４記載のハイブリッド車両において、前記充電池は、ニッケル系、リチウム系等の二次電池を用いる構成を採る。
【００１９】
この構成によれば、エンジン再始動時のクランキング制御に伴う電力制御を容易にすることができる。
【発明の効果】
【００２０】
本発明によれば、走行中のエンジン再始動時における消費電力を低減するようにクランキングを制御することができ、制御システムのダウンを防止することができる。
【発明を実施するための最良の形態】
【００２１】
本発明の骨子は、走行中のエンジン再始動時における消費電力を低減するようにクランキングを制御して、制御システムのダウンを防止することである。
【００２２】
以下、本発明の実施の形態について図面を参照して詳細に説明する。
【００２３】
図１〜図３は本発明を適用した一実施の形態のハイブリッド車両を説明するための図である。図１はハイブリッド車両の制御系の構成を示すブロック図、図２はエンジン再始動時のクランキング制御処理を示すフローチャート、図３は発電電動機電流とパルス信号の関係を示す図である。
【００２４】
本実施の形態のハイブリッド車両は、シリーズ型ハイブリッド車両であり、エンジンによって発電電動機を駆動し、この発電電動機によりバッテリを充電し、このバッテリにより駆動モータ駆動用電力、制御用電力及びエンジン始動用電力を供給するように構成されている。また、本実施の形態のハイブリッド車両は、バッテリとしてニッケル系、リチウム系等の二次電池を用いるものとする。
【００２５】
まず、図１のブロック図を参照してハイブリッド車両の制御系の構成を説明する。エンジン１は、発電電動機２によりクランク軸が駆動されて始動され、スロットル弁アクチュエータ１２によりシリンダ内に導入される空気量が調整される。発電電動機２は、ドライバ回路２４から供給される駆動電流により駆動されてエンジン１のクランク軸を始動し、エンジン１により駆動されて発電し、充電電流をバッテリに供給する。
【００２６】
メインスイッチ３は、ハイブリッド車両を始動／停止する際に操作するスイッチである。バッテリ負端子４ａ及びバッテリ正端子４ｂは、図示しないバッテリの入出力端子であり、ドライバ回路２４と駆動回路２７に駆動電流を出力するとともに、発電電動機２から充電電流が入力される。バッテリ電流検出器５は、バッテリ正端子４ｂとドライバ回路２４の間に流れる電流を検出し、その検出信号をバッテリ電流検出部６に出力する。バッテリ電流検出部６は、バッテリ電流検出器５から入力される検出信号をバッテリ電流値に変換してバッテリ容量計算部７と発電指令値計算部８に出力する。
【００２７】
バッテリ容量計算部７は、バッテリ電流検出部６から入力されるバッテリ電流値に基づいてバッテリ容量ＳＯＣ（State of Charge ）を計算し発電指令値計算部８に出力する。
【００２８】
発電指令値計算部８は、バッテリ容量計算部７からＳＯＣ信号が入力されると、バッテリ電流検出部６から入力されるバッテリ電流値に基づいて発電電力量を計算し、発電電力指令値を発電時発電指令値計算部１６とスロットル弁開度指令値計算部１０に出力する。メモリ９は、発電電力指令値−スロットル開度指令値テーブルを記憶し、メインスイッチ３のＯＮ信号を受けてテーブルの設定内容をスロットル弁開度指令値計算部１０に出力する。
【００２９】
スロットル弁開度指令値計算部１０は、発電指令値計算部８から入力される発電電力指令値と、回転数計算部２０から入力される発電電動機回転数とに基づいて、メモリ９に記憶された発電電力指令値−スロットル開度指令値テーブルからスロットル開度指令値を読み出して駆動信号を生成してスロットル弁アクチュエータ駆動回路１１に出力する。
【００３０】
スロットル弁アクチュエータ駆動回路１１は、スロットル弁開度指令値計算部１０から入力される駆動信号に基づいてスロットル弁アクチュエータ１２に駆動電流を出力し、スロットル弁の開度を調整する。スロットル弁アクチュエータ１２は、スロットル弁アクチュエータ駆動回路１１から入力される駆動電流によりスロットル弁の開度を変更して、エンジン１のシリンダに導入する空気量を調整する。
【００３１】
メモリ１３は、駆動開始時における発電電動機初期電流指令値を記憶する。メモリ１４は、クランキング時指令回転数を記憶する。メモリ１５は、発電指令値に対応する回転指令値を示す発電指令値−回転数指令値テーブルを記憶する。発電時発電指令値計算部１６は、発電指令値計算部８から入力される発電電力指令値に基づいて、メモリ１５に記憶された発電指令値−回転数指令値テーブルから回転数指令値を読み出して発電時発電指令値を計算して回転数ＰＩ制御部１７に出力する。
【００３２】
回転数ＰＩ制御部１７は、発電時発電指令値計算部１６から入力される発電時発電指令値と、回転数計数部２０から入力される発電電動機回転数とに基づいて、メモリ１４に記憶されたクランキング時指令回転数が設定された発電電動機回転数指令値を読み出して、クランク軸の回転数を所定の勾配で徐々に上げていくように発電電動機電流指令値を計算してデューティＰＩ計算部２２に出力する。
【００３３】
メモリ１８は、回転数に対応する電流最大値が定義された回転数−電流最大値テーブルを記憶する。ロータリエンコーダ１９は、発電電動機２の回転を検出し、エンコーダ検出信号を回転数計算部２０に出力する。回転数計算部２０は、ロータリエンコーダ１９から入力されるエンコーダ検出信号に基づいて発電電動機２の回転数を計算し、発電電動機回転数を発電電動機電流最大値計算部２１に出力する。
【００３４】
発電電動機電流最大値計算部２１は、回転数計算部２０から入力される発電電動機回転数に基づいて、メモリ１８に記憶された回転数−電流最大値テーブルから回転数に応じた電流最大値を読み出して発電電動機電流最大値を計算してデューティＰＩ計算部２２に出力する。
【００３５】
デューティＰＩ計算部２２は、エンジン再始動時のクランキング前に、メモリ１３に記憶された発電電動機初期電流値を読み出して、発電電動機初期電流値に対応するデューティ指令値を計算してデューティ設定部２３に出力する。また、デューティＰＩ計算部２２は、エンジン再始動時のクランキング時に、回転数ＰＩ制御部１７から入力される発電電動機電流指令値に基づいてデューティ指令値を計算してデューティ設定部２３に出力する。また、デューティＰＩ計算部２２は、エンジン再始動時のクランク軸回転開始後に、発電電動機電流最大値計算部２１から入力される発電電動機電流最大値と、電流検出部２６から入力される発電電動機電流検出値とに基づいて、デューティ指令値を計算してデューティ設定部２３に出力する。
【００３６】
デューティ設定部２３は、デューティＰＩ計算部２２から入力されるデューティ指令値に基づいて、駆動信号を生成してドライバ回路２４内の各ＦＥＴを駆動制御する。ドライバ回路２４は、発電電動機２の各相に対応して接続されたＦＥＴにより構成され、デューティ設定部２３から各ＦＥＴに入力される駆動信号により駆動電流を生成して、発電電動機２の発電動作及び電動動作を駆動制御する。
【００３７】
電流検出器２５は、ドライバ回路２４と発電電動機２とを接続する３線路のうち２線路に接続され、各線路に流れる電流を検出し、その各電流検出信号を電流検出部２６に出力する。電流検出部２６は、電流検出器２５から入力される２線路の各検出信号に基づいて発電電動機電流検出値をデューティＰＩ計算部２２に出力する。
【００３８】
駆動回路２７は、バッテリ負端子４ａとバッテリ正端子４ｂに接続され、バッテリから供給される電流によりモータ駆動電流を生成して駆動モータ２８を駆動制御する。駆動モータ２８は、ハイブリッド車両の駆動輪を駆動するためのモータであり、駆動回路２７から入力されるモータ駆動電流により駆動トルクを発生して駆動輪を駆動する。
【００３９】
本実施の形態のハイブリッド車両は、シリーズ型であるため、走行中にバッテリ充電量ＳＯＣが予め設定された下限値を下回ると、エンジン１を再始動して発電電動機２によりバッテリの充電動作を開始する。このとき、発電電動機２の駆動軸と連結されたエンジン１のクランク軸の回転を開始させるため、発電電動機２に供給する駆動電流と、スロットル弁アクチュエータ１２の開度を制御する。これらの制御について図２に示すフローチャートを参照して説明する。
【００４０】
本実施の形態のハイブリッド車両は、電動モードで走行中にバッテリ容量をバッテリ容量計算部７により検出し、バッテリ容量が予め設定した下限値を下回ると、ＳＯＣ信号を発電指令値計算部８に出力する。図２のステップＳ２０１において、発電指令値計算部８は、バッテリ容量計算部７からのＳＯＣ信号の入力の有無によりエンジンを始動するか否かを判定する。発電指令値計算部８は、バッテリ容量計算部７からＳＯＣ信号が入力されるとエンジンを始動すると判定する。図示しない信号によって指示される始動時の開度がスロットル弁開度指令値計算部１０に出力される。
【００４１】
スロットル弁開度指令値計算部１０は、始動時のスロットル開度をスロットル弁アクチュエータ駆動回路１１に出力する。
【００４２】
スロットル弁アクチュエータ駆動回路１１は、スロットル弁開度指令値計算部１０から入力された駆動信号に基づいて駆動電流を生成してスロットル弁アクチュエータ１２に出力する。スロットル弁アクチュエータ１２は、スロットル弁アクチュエータ駆動回路１１から入力される駆動電流によりスロットル弁を全閉する。このように、エンジン再始動時にスロットル弁を全閉にすることにより、クランキング時にエンジン１のシリンダ内に供給される空気量を最小にして、クランク軸の回転を開始する際の圧縮負荷を軽減することができる。
【００４３】
次いで、ステップＳ２０３において、発電指令値計算部８は、スロットル弁アクチュエータ駆動回路１１から出力される駆動電流量に基づいて、スロットル弁が全閉になったか否かを判定する。発電指令値計算部８が、スロットル弁が全閉になっていないと判定した場合は、ステップＳ２０２に戻って上記発電電力指令値の出力を繰り返す。また、発電指令値計算部８が、スロットル弁が全閉になったと判定した場合は、ステップＳ２０４に移行する。
【００４４】
ステップＳ２０４において、発電指令値計算部８は、図示しない点火ＣＤＩ（点火コイル）をオンさせる。次いで、ステップＳ２０５において、デューティＰＩ計算部２２は、メモリ１３に記憶された発電電動機初期電流値を読み出して、発電電動機初期電流値に対応する発電電動機最大駆動電流に相当するデューティ指令値を計算してデューティ設定部２３に出力する。デューティ設定部２３は、デューティＰＩ計算部２２から入力されたデューティ指令値に基づいて、最大駆動電流に相当する駆動信号を生成してドライバ回路２４内の各ＦＥＴを駆動制御する。発電電動機２は、最大駆動電流で駆動されることにより、その駆動軸に連結されたエンジン１のクランク軸の回転を開始する。
【００４５】
次いで、ステップＳ２０６において、回転数計算部２０は、ロータリエンコーダ１９から入力されるエンコーダ検出信号に基づいてクランク軸が回転を開始したか否かを判定する。回転数計算部２０が、クランク軸が回転を開始していないと判定した場合はステップＳ２０５に戻り、クランク軸が回転を開始したと判定した場合は、ステップＳ２０７に移行する。
【００４６】
ステップＳ２０７において、回転数計算部２０は、ロータリエンコーダ１９から入力されるエンコーダ検出信号に基づいて発電電動機２の所定時間当たりの回転数を計算し発電電動機回転数として発電電動機電流最大値計算部２１に出力する。次いで、ステップＳ２０８において、発電電動機電流最大値計算部２１は、回転数計算部２０から入力される発電電動機回転数に基づいて、メモリ１８に記憶された回転数−電流最大値テーブルから対応する電流最大値を読み出し、回転数毎に消費される電力量を計算し発電電動機電流最大値としてデューティＰＩ計算部２２に出力する。
【００４７】
次いで、ステップＳ２０９において、回転数ＰＩ制御部１７は、クランク時の回転開始後、メモリ１４に記憶されたクランキング時指令回転数が設定された発電電動機回転数指令値を読み出して、クランク軸の回転数を所定の勾配で徐々に上げていくように発電電動機電流指令値を計算してデューティＰＩ計算部２２に出力する。
【００４８】
デューティＰＩ計算部２２は、発電電動機電流最大値計算部２１から入力される発電電動機電流最大値と、クランク軸の回転により電流検出部２６から入力される発電電動機電流検出値と、回転数ＰＩ制御部１７から入力される発電電動機電流指令値とに基づいて、クランク軸を所定の目標回転数まで所定の勾配で徐々に上げていくようにデューティ指令値を計算してデューティ設定部２３に出力する。
【００４９】
デューティ設定部２３は、デューティＰＩ計算部２２から入力されるデューティ指令値に応じてデューティ比を設定した駆動信号を生成してドライバ回路２４内の各ＦＥＴを駆動制御する。この駆動制御により、発電電動機２に供給される駆動電流量は、クランク軸が所定の目標回転数に上昇するまで所定の勾配で徐々に上昇される。
【００５０】
ここで、デューティ比の設定と、発電電動機電流との対応関係を図３に示す。図３（ａ）は、発電電動機２の各相に流れる発電電動機電流の変化を示し、図３（ｂ）は、その発電電動機電流の変化に対応してデューティ設定部２３で設定されるパルス信号Ｔ１〜Ｔ４のデューティ比ｔ１〜ｔ４の変化を示している。このように、回転数ＰＩ制御部１７、デューティＰＩ計算部２２及びデューティ設定部２３によりパルス信号のデューティ比を制御して、発電電動機２に供給する駆動電流量を制御することにより、駆動電流量制御を容易にすることができる。
【００５１】
以上、ステップＳ２０５〜ステップＳ２０９のように、クランク軸の回転開始時は、発電電動機２に最大駆動電流を供給するように制御することにより、クランク軸の回転開始を容易にする。次いで、クランク軸の回転開始直後は、発電電動機２に供給される駆動電流量は、回転数ＰＩ制御部１７により計算される発電電動機電流指令値により、回転開始時よりも低下される。次いで、クランク軸が所定の目標回転数に上昇するまで発電電動機２に供給される駆動電流量は、所定の勾配で徐々に上げていくように制御される。
【００５２】
次いで、ステップＳ２１０において、電流検出部２６は、電流検出器２５から入力される電流検出信号に基づいて発電電動機電流検出値をデューティＰＩ計算部２２に出力する。次いで、ステップＳ２１１において、デューティＰＩ計算部２２は、電流検出部２６から入力される発電電動機電流検出値に基づいて、クランク軸の回転数がエンジン１を点火する所定の目標回転数に達したか否かを判定する。デューティＰＩ計算部２２が、クランク軸の回転数がエンジン１を点火する所定の目標回転数に達していないと判定した場合は、ステップＳ２０７に戻って、上記ステップＳ２０７〜ステップＳ２１０の処理を繰り返し、クランク軸の回転数がエンジン１を点火する所定の目標回転数に達していると判定した場合は、ステップＳ２１２に移行する。
【００５３】
次いで、ステップＳ２１２において、回転数ＰＩ制御部１７は、発電電動機２の回転数を所定回転数に維持するため発電電動機電流指令値を固定してデューティＰＩ計算部２２に出力する。次いで、ステップＳ２１３において、電流検出部２６は、電流検出器２５から入力される電流検出信号に基づいて発電電動機電流検出値をデューティＰＩ計算部２２に出力する。
【００５４】
次いで、ステップＳ２１４において、デューティＰＩ計算部２２は、回転数ＰＩ制御部１７から入力される発電電動機電流指令値と、電流検出部２６から入力される発電電動機電流検出値に基づいて、発電電動機２の回転数を所定回転数に維持するためのデューティ指令値を計算してデューティ設定部２３に出力する。
【００５５】
次いで、ステップＳ２１５において、デューティ設定部２３は、デューティＰＩ計算部２２から入力されたデューティ指令値に応じてデューティ比を設定した駆動信号を生成してドライバ回路２４内の各ＦＥＴを駆動制御する。この駆動制御により、発電電動機２に供給される駆動電流量は、所定回転数に維持するように制御される。
【００５６】
次いで、ステップＳ２１６において、スロットル弁開度指令値計算部１０は、メモリ９に記憶された発電電力指令値−スロットル開度指令値テーブルから点火開度指令値を読み出し、スロットル弁を点火開度まで開くための駆動信号を計算してスロットル弁アクチュエータ駆動回路１１に出力する。
【００５７】
スロットル弁アクチュエータ駆動回路１１は、スロットル弁開度指令値計算部１０から入力された駆動信号に基づいて駆動電流を生成してスロットル弁アクチュエータ１２に出力する。スロットル弁アクチュエータ１２は、スロットル弁アクチュエータ駆動回路１１から入力される駆動電流によりスロットル弁を点火開度まで開く。図示しないスイッチにより点火プラグをＯＮとする（ステップＳ２１７）。
【００５８】
次いで、ステップＳ２１８において、デューティＰＩ計算部２２は、電流検出部２６から入力される発電電動機電流検出値に基づいて、その発電電動機電流の流れる向きの変化によりエンジン１が点火したか否かを判定する。デューティＰＩ計算部２２は、エンジン１が点火していないと判定した場合はステップＳ２１２に戻り、エンジン１が点火したと判定した場合は、本処理を終了する。
【００５９】
以上のように、本実施の形態のハイブリッド車両では、電動モードで走行中にバッテリの充電量が所定値を下回って、バッテリ充電のためにエンジン１を再始動する際に、スロットル弁を全閉状態にして、発電電動機２に供給する発電電動機電流を最大発電電動機電流に設定した。そして、このクランクキング開始直後に、発電電動機２に供給する発電電動機電流量を、上限値を超えないように制御し、クランク軸の回転数がエンジン１を点火する所定の目標回転数に上昇するまで、その発電電動機電流量を所定の勾配で徐々に上げていくように制御した。また、クランク軸の回転数がエンジン１を点火する所定の目標回転数に上昇した時、スロットル弁の開度を全閉状態から点火開度に一挙に開いた。
【００６０】
このため、本実施の形態のハイブリッド車両は、電動モードで走行中のバッテリ充電のためのエンジン再始動時に、クランキング動作とバッテリ消費電力との対応関係を考慮しながら発電電動機に供給する駆動電流量とスロットル弁の開度を適宜制御したため、バッテリ出力電圧が下限値よりも低下してシステムをダウンさせるという事態を回避することができる。
【００６１】
また、本実施の形態のハイブリッド車両は、エンジン再始動時にスロットル弁を全閉にすることにより、クランキング時にエンジン１のシリンダ内に供給される空気量を最小にして、クランク軸回転開始時の圧縮負荷を軽減することができ、発電電動機２に対する負荷も軽減することができ、従来よりも少ない電力でクランキングを開始させることができる。なお、エンジン再始動時のスロットル弁の開度は、必ずしも全閉にする必要はなく、再始動直前の開度よりも閉じる方向に調整すれば、同様の効果を得ることができる。
【００６２】
また、本実施の形態のハイブリッド車両は、クランクキング開始から点火までの間において、発電電動機２に供給する電力の上限値を設けて、クランク軸の回転数がエンジン１を点火する所定の目標回転数に上昇するまで、その発電電動機電流量を所定の勾配で徐々に上げていくように制御したため、クランクキング開始直後のバッテリ出力電圧の急激な低下を確実に防止することができる。
【００６３】
また、本実施の形態のハイブリッド車両は、エンジン再始動時にクランク軸の始動手段として発電電動機２を用い、発電電動機２に供給する発電電動機電流量をパルス信号のデューティ比により制御するようにしたため、クランキング時にクランク軸の回転数に応じて発電電動機２に供給する発電電動機電流量を容易に制御することができる。また、本実施の形態のハイブリッド車両は、バッテリとしてニッケル系、リチウム系等の二次電池を用いるようにしたため、満充電状態ではない所定の充電範囲でも、上記発電電動機に供給する駆動電流量を容易に制御することができる。
【産業上の利用可能性】
【００６４】
本発明に係るハイブリッド車両は、走行中のエンジン再始動時のクランキング制御における消費電力を低減することを可能にし、ハイブリッド車両用のエンジン制御装置として有用である。
【図面の簡単な説明】
【００６５】
【図１】本発明の一実施の形態に係るハイブリッド車両の制御系の構成を示すブロック図
【図２】本実施の形態のエンジン再始動時のクランキング制御を示すフローチャート
【図３】本実施の形態のクランキング制御時の発電電動機電流とパルス信号のデューティ比の対応関係を示す図
【符号の説明】
【００６６】
１  エンジン
２  発電電動機
３  メインスイッチ
４ａ  バッテリ負端子
４ｂ  バッテリ正端子
５  バッテリ電流検出器
６  バッテリ電流検出部
７  バッテリ容量計算部
８  発電指令値計算部
９、１３〜１５、１８  メモリ
１０  スロットル弁開度指令値計算部
１１  スロットル弁アクチュエータ駆動回路
１２  スロットル弁アクチュエータ
１６  発電時発電指令値計算部
１７  回転数ＰＩ制御部
１９  ロータリエンコーダ
２０  回転数計算部
２１  発電電動機電流最大値計算部
２２  デューティＰＩ計算部
２３  デューティ設定部
２４  ドライバ回路
２５  電流検出器
２６  電流検出部
２７  駆動回路
２８  モータ
【図１】
2007074765.tif 000003
【図２】
2007074765.tif 000004
【図３】
2007074765.tif 000005